(57)【特許請求の範囲】
【請求項１】
多数の中詰め材を収容すべくグランド上に立設形成される中詰め用カゴ体であって、
ダクタイル鋳鉄により一体形成されていると共に、所定の強度を有し多数の孔が形成された板状体を有し、該板状体の両端の異なる高さ位置に、貫通孔を有する接合片が突設された接合部を備えている単位枠体を構成する複数の隔壁と、
前記接合片の貫通孔に挿通され、前記隔壁の端部同士を連結する軸部材と、
単位枠体の形状に応じた各隔壁の配置に合わせて棒状体を所定角度に交叉させて接合し、該棒状体の先端に各隔壁の上方壁縁に係止させる係止具を設け、前記棒状体を接合させた交叉部に規制部材を取り付け、該規制部材を前記隔壁の接合部上方の側端面に当接させる角度拘束部材と、を備え、
前記軸部材によって連結された各隔壁の接合部の上方から前記角度拘束部材を被冠することを特徴とする中詰め用カゴ体。
【発明の詳細な説明】
【０００１】
【発明の属する利用分野】
本発明は、河川等の法面上もしくは河床に多数の石やその他の中詰め材を収容する中詰め用カゴ体に関する。
【０００２】
【従来の技術】
従来から、河川等の法面上もしくは河床に多数の石を収容する石詰め用カゴ体及びその施工方法として、特公平４−１０９２４号公報並びに特公平８−１６３２３号公報が提案されている。
【０００３】
前者の石詰め用カゴ体は、基礎工事面上に所定幅のロール状網体を巻き戻しながら広げて所定長さに切断敷設して底面とし、外周が枠体によって保護される網体を構成して仕切用自立網体を適宜な所定間隔に立設、設置することにより縦側面、横側面とし、これら各面を構成する部材を結線によって連結することにより構成されている。
【０００４】
また、後者のカゴ体は、複数の石詰め領域に跨る広さの底面網と、一つの領域に対応する長さで向きの異なる複数の仕切網を一体に連接することにより、予め自立可能に構成され、底面網上に立設して石詰め領域を区画、形成する仕切網連結体と、複数の石詰め領域に跨る広さの上面網とで構成され、全体が格子状に並ぶように配置して、各仕切網連結体を底面網及び隣接する他の仕切網連結体に針金等の連結手段を用いて順次連結する方法により構成されている。
【０００５】
【発明が解決しようとする課題】
このような従来の石詰め用カゴ体は、両者とも全て柔軟な可撓性を有する網体で構成されていることから、矩形に形成された枠体に針金などを利用して網体を固定してパネル状の縦、横側面の仕切網を形成したのち、これら各縦、横側面の仕切網が底網上に格子状に並ぶように配置して針金などの連結手段を用いて底網を順次連結し、隣接する縦横の仕切網を針金など用いて連結して一体的なカゴ体を構成している。
【０００６】
次にカゴ体内に自然石等の複数の石材が詰められると、それらカゴ体全体の上面が上面網で閉塞され、針金などの連結手段によって固定される。
【０００７】
従って、従来のカゴ体は、針金などを使用して連結される連結部が複数箇所に存在するため結線作業に多大な手間がかかり、延いては石詰め用カゴ体の施工に多くの施工工数がかかる問題を有していた。
【０００８】
一方では、河川等の法面上もしくは河床に多数の石を収容した石詰め用カゴ体の敷設により河川等の護岸保護を行うだけでなく、河川の自然環境と景観の調和、及び河川の水質浄化等も強く要望されていた。
【０００９】
本発明は、このような問題点に着目してなされたもので、敷設現場においてカゴ体を区画形成する施工が極めて容易で、河川の護岸保護と併せて水質浄化を行い河川の環境保護を図ることができる中詰め用カゴ体を提供することを目的とする。
【００１０】
【課題を解決するための手段】
前記目的を達成するために、本発明の中詰め用カゴ体は、多数の中詰め材を収容すべくグランド上に立設形成される中詰め用カゴ体であって、
ダクタイル鋳鉄により一体形成されていると共に、所定の強度を有し多数の孔が形成された板状体を有し、該板状体の両端の異なる高さ位置に、貫通孔を有する接合片が突設された接合部を備えている単位枠体を構成する複数の隔壁と、
前記接合片の貫通孔に挿通され、前記隔壁の端部同士を連結する軸部材と、
単位枠体の形状に応じた各隔壁の配置に合わせて棒状体を所定角度に交叉させて接合し、該棒状体の先端に各隔壁の上方壁縁に係止させる係止具を設け、前記棒状体を接合させた交叉部に規制部材を取り付け、該規制部材を前記隔壁の接合部上方の側端面に当接させる角度拘束部材と、を備え、
前記軸部材によって連結された各隔壁の接合部の上方から前記角度拘束部材を被冠することを特徴としている。
【００１１】
この特徴によれば、各隔壁端部の上下に配置される接合片同士が連結部材により所定角度を成して順次連結されるので、連結された隔壁によって閉じられた所定領域の単位枠体を形成することができ、各隔壁を順次連結することにより、複数の単位枠体を容易に形成することができる。
【００１２】
また、上下に配置された接合片の貫通孔に軸部材を挿通保持するだけで隔壁を連結することができるので、現地での隔壁の組立作業を容易に行うことができる。
【００１３】
また、ダクタイル鋳鉄の性質を好適に利用することができ、生物にとって必要な微量な栄養素としての鉄分を供給し、鋳鉄内に含まれる炭素成分が中詰材料と相俟って水質を浄化することができ、河川の環境を向上させることができる。
【００１４】
更に、所定角度で連結された隔壁の接合部は、各隔壁の接合部上方から同時に角度拘束部材を被冠させるだけで、連結された隔壁の接合部の角度位置を拘束状態で保持することができる。
【００１５】
【発明の実施の形態】
以下に、添付図面を参照して本発明の実施形態について説明する。最初に本発明の中詰め用カゴ体の第１実施形態につき説明する。図１は本発明の第１実施形態としての中詰め用カゴ体が河床に敷設された護岸を示す斜視図、図２は隔壁の組合せによって区画形成される第１実施形態としての中詰め用カゴ体の各種形態を示す平面図、図３の（ａ）は隔壁接合部の一実施実施形態を示す部分拡大斜視図であり、（ｂ）は隔壁接合部の他の実施実施形態を示す部分拡大斜視図である。
【００１６】
図１に示されるように、１は複数の石材としての例えば自然石やその他の中詰め材（例えば、そだ、竹或いは浄化材）を収容する各種中詰め用カゴ体から成るカゴ体集合体であり、カゴ体集合体１は、例えば河川等の法面（グランド）上もしくは河床（グランド）の所定領域に敷設される。
【００１７】
そして、カゴ体は、図１及び図２に示されるように、貫通孔Ｈが形成された複数のダクタイル鋳鉄から成る板状隔壁１ａ、１ｂと、該板状隔壁１ａ、１ｂ両端の異なる高さ位置に突設された例えばナット状の貫通孔付き六角部材としての接合片Ｎ１〜Ｎ４と、隔壁の端部を接合した際に上下に配置される接合片Ｎ１〜Ｎ４の貫通孔に挿通させて各隔壁の端部を連結する連結部材としての軸部材７とで主に構成されている。尚、ここで使用される接合片Ｎ１〜Ｎ４は六角ナットでも良く、軸部材７は六角ナットの貫通ネジ孔に遊嵌する小径のボルトでも良いが、ネジが形成されていないものが好ましい。
【００１８】
次に、隔壁の組合せにより構成される第１実施形態としての中詰めカゴ体の各種形態につき説明する。図２に示されるように、各隔壁の組合せにより各種形態の中詰めカゴ体Ａ１、Ａ２、Ａ２′及びＢ１、Ｂ２が方形状に区画形成される。
【００１９】
先ず、図２の左上側部に区画形成される中詰めカゴ体Ａ１は、小領域となる正方形の単位枠体として構成され、横列に配置される一対の隔壁１ａと、縦列に配置される一対の隔壁１ｂから成り、これら隔壁１ａ、１ｂ端部の角部αはそれぞれ直角に接合される。
【００２０】
次に、左下側部に区画形成される中詰めカゴ体Ａ２及びＡ２′は、小領域の中詰めカゴ体Ａ１の４倍の面積を有し、中領域となる正方形の単位枠体で構成され、直列に連結されて横列に配置される一対の隔壁１ａと、直列に連結されて縦列に配置される一対の隔壁１ａ、１ｂとから成り、これら各隔壁１ａ、１ｂの角部αを構成する端部はぞれ直角に接合される。
【００２１】
また、右下側部に区画形成される中詰めカゴ体Ｂ１は、小領域となる矩形の単位枠体に構成され、直列に連結されて横列に配置される一対の隔壁１ａと、縦列に配置される一対の隔壁１ｂから成り、これら隔壁１ａ、１ｂの角部αを構成する端部はそれぞれ直角に接合される。
【００２２】
更に、右下側部に区画形成される中詰めカゴ体Ｂ２は、小領域の中詰めカゴ体Ｂ１の４倍の面積を有し、中領域となる矩形の単位枠体で構成され、直列に４枚が連結されて横列に配置される一対の隔壁１ａと、直列に２枚が連結されて縦列に配置される一対の隔壁１ａ、１ｂとから成り、これら各隔壁１ａ、１ｂの角部αを構成する端部はぞれ直角に接合される。
【００２３】
次に、隔壁の接合部につき説明する。図３の（ａ）、（ｂ）に示されるように、角隔壁の接合部は、隔壁の形態に対応して各種接合形態が採られている。
【００２４】
先ず、直列に接合される形態及び直角に接合される形態では、隔壁１ａ両端の接合部が、隔壁１ａ一端の上下端部の近傍に離間して配置される形態としての接合片Ｎ４と、同じ隔壁１ａの他端に前記接合片Ｎ４より内側に離間して配置される形態としての一対の接合片Ｎ３とから構成される。
【００２５】
また、３方向が直角に接合される形態及び直角に交叉して接合される形態では、隔壁１ｂ両端の接合部は、隔壁１ｂ一端の中央側に接近して配置される形態としての一対の接合片Ｎ２と、同じ隔壁１ｂ他端に前記接合片Ｎ２間の中央に配置される形態としての単一の接合片Ｎ１とから構成される。
【００２６】
次に、本発明の中詰め用カゴ体の第２実施形態につき説明する。図４は隔壁の組合せによって区画形成される第２実施形態としての中詰め用カゴ体の各種形態を示す平面図、図５の（ａ）は隔壁接合部の一実施形態を示す部分拡大斜視図であり、（ｂ）は隔壁接合部の他の実施形態を示す部分拡大斜視図である。尚、前記実施形態の構成部分と同一構成部分については同一符号を付し詳細な説明を省略する。
【００２７】
先ず、図４に示される複数の中詰めカゴ体Ｃは、隔壁１ａ、１ｂの各端部の角度βをそれぞれ１２０°で接合することにより、六角形の単位枠体として構成され、この単位枠体は、六角形の中詰めカゴ体Ｃの上下角部を構成する左右の隔壁１ａと両側縦方向に配置される隔壁１ｂとで構成される。
【００２８】
次に、隔壁の接合片につき説明する。図５の（ａ）、（ｂ）に示されるように、隔壁の接合片は、六角形の単位枠体を構成する隔壁端部の接合組合せにより各種接合形態が採られている。
【００２９】
尚、隔壁１ａ、１ｂの両端に突設される接合片及びその配置は、前記実施形態に示される構成と同一構成であり重複する説明を省略する。
【００３０】
次に、接合片によって接合された各隔壁の接合部の角度位置を拘束保持する角度拘束部材につき説明する。
【００３１】
正方形、又は矩形の単位枠体により構成される中詰めカゴ体は、隔壁端部の接合部は直列乃至直角に接合される形態、及び３方向が直角に接合される形態及び四方が直角に交叉して接合される形態を有しており、これら接合部の形態によりそれに対応した角度拘束部材が用いられる。
【００３２】
図６はその一実施形態を示すものであり、（ａ）は隔壁が直角に交叉して接合される形態の接合部を示している。即ち、この角度拘束部材８は、水平面内で互いに交叉して接続される所定長さの棒状体９、１０と、これら棒状体９、１０の各先端に接続される係止具１１と、棒状体９、１０の交叉部下方に突設した棒体の下端に水平に取付けられる規制部材１２とで構成される。
【００３３】
詳しくは、係止具１１は、下方が開口する逆Ｕ字状に形成され、開口部の内幅は各隔壁の厚みより若干幅広に形成されると共に、規制部材１２は、四方から交叉する隔壁１ａ、１ｂの端部によって形成される間隙に挿嵌可能な四角状の板材により構成されている。
【００３４】
この場合、規制部材１２は、隔壁１ａ、１ｂの端部によって形成される間隙に挿嵌された際、四角状に形成される各辺が隔壁端部の当接面として形成されれば好ましい。
【００３５】
このように構成された角度拘束部材８によれば、直角に交叉（集束）して接合される隔壁の接合部に上方から角度拘束部材８を被冠する。すなわち、逆Ｕ字状の係止具１１を互いに交叉する隔壁の上方から被冠するとともに、隔壁中間に形成される隔壁の間隙に規制部材１２が挿嵌されて取り付けが完了する。
【００３６】
このように、所定角度で連結接合された隔壁の接合部は、各隔壁の接合部上端に角度拘束部材８を被冠するだけで、接合部の角度位置を拘束状態で保持することができる。
【００３７】
また、図６の（ｂ）は３枚の隔壁が１２０°の角度で接合されている形態の接合部を示している。尚、前述した角度拘束部材の構成部分と同一構成部分に付いては、同一符号を付し重複する説明を省略する。
【００３８】
即ち、この角度拘束部材１３は、１２０°の角度で水平面内で交叉して接続される所定長さの棒状体１４、１５と、これら棒状体１４、１５の各先端に接続される係止具１１と、棒状体１４、１５の交叉部下方に突設した棒体の下端に水平に取付けられる規制部材１６とで構成される。
【００３９】
この場合、規制部材１６は、例えば１２０°の角度で交叉される隔壁１ａ、１ｂの端部によって形成される間隙に挿嵌可能な略三角形の板材により構成されており、この規制部材１６は、交叉する角隔壁１ａ、１ｂの端面に当接可能な当接面として形成されれば好ましい。尚、この角度拘束部材１３の作用、効果は、前述した角度拘束部材８と同一作用効果を有しているためその説明を省略する。
【００４０】
次に、本発明の中詰め用カゴ体施工方法の一実施形態につき説明する。先ず、ダクタイル鋳鉄等で形成された所定の強度を有し、多数の貫通孔Ｈが形成され両端部の異なる高さ位置に接合片Ｎ１〜Ｎ４が溶着された隔壁が予め準備される。
【００４１】
次に、設置グランドとしての河床に敷設すべく領域が設定されると、その領域内に隔壁１ａ、１ｂの端部をそれぞれ順次接合することにより、図２に示されるような単位枠体としての各種形態の中詰めカゴ体Ａ１、Ａ２、Ａ２′、Ｂ１、Ｂ２がレイアウトされる。
【００４２】
ここで、各隔壁１ａ、１ｂの接合手順に付き説明すると、図３の（ａ）に示される接合形態では、例えば隔壁１ａ、１ａを直列ないし直角に接合するには、隔壁１ａ、１ａ両端の異なる高さ位置に突設配置される接合片Ｎ３、Ｎ４の貫通孔に軸部材７を挿通させることにより隔壁１ａ、１ａが互いに連結される。
【００４３】
接合された各隔壁１ａ、１ａは接合部における平面内で揺動可能であり、この部分では自由な接合角度を得ることができるようになっている。
【００４４】
図３の（ｂ）に示される接合形態では、例えば隔壁１ａ、１ａ及び１ｂを３方向が直角に接合される形態及び直角に交叉して接合するには、隔壁１ａ、１ａ及び１ｂ両端の異なる高さ位置に突設配置される接合片Ｎ１、Ｎ３、Ｎ４の貫通孔に軸部材７を挿通させることにより各隔壁１ａ、１ａ及び１ｂが互いに連結される。
【００４５】
次に、揺動可能に軸部材により連結された隔壁の接合部には、図６の（ａ）に示される角度拘束部材８が上方から被冠されることによって接合部の角度位置が拘束され、それぞれ区画形成された単位枠体としての各種中詰めカゴ体の形態が確保される。
【００４６】
尚、この角度拘束部材８は、全ての接合部に装着する必要はなく、連結された各種中詰めカゴ体によって構造体が構築されるので所定の一部に装着するだけで安定した立設状態に保持することができる。
【００４７】
このように、予め用意された所定の強度を有する多数の貫通孔Ｈが形成された複数の隔壁１ａ、１ａ又は１ｂが接合片Ｎ１、Ｎ３、Ｎ４の貫通孔に軸部材７を挿通させることにより、相互に連結して各隔壁１ａ、１ａ又は１ｂを順次継ぎ合わされると、各隔壁１ａ、１ａ又は１ｂが閉じられた所定領域の単位枠体としての各種形態の中詰めカゴ体Ａ１、Ａ２、Ａ２′、Ｂ１、Ｂ２がグランド上に順次立設状態で構築され、さらに、これら単位枠体を順次連結させて中詰め用カゴ体が構成されるので、敷設現場においてカゴ体を区画形成する施工が極めて容易で、グランド上に剛性を持たせた状態で確実に固定することができる。
【００４８】
このようにして、図１に示されるように各種形態の組合せから成る中詰めカゴ体集合体１が例えば吸い出し防止材３が敷設された河川等の河床（グランド）に設置されると、これら中詰めカゴ体集合体１内には複数の石材として例えば自然石２や、そだ４、竹５、浄化材等の中詰め材が収容される。
【００４９】
そして、河床に設置された中詰めカゴ体集合体１に隣接して法面（グランド）上にも同様に中詰めカゴ体集合体１が設置され、その中詰めカゴ体集合体１内には同じく自然石２や、そだ４、竹５、浄化材等の中詰め材が収容され、法面の護岸を行うことができるとともに、自然観を得ることができる。
【００５０】
また、河床（グランド）にダクタイル鋳鉄製の中詰め用カゴ体が敷設されるので、ダクタイル鋳鉄の性質を好適に利用することができ、生物にとって必要な微量な栄養素としての鉄分を供給し、鋳鉄内に含まれる炭素成分が中詰材料と相俟って水質を浄化することができ、河川の環境を向上させることができる。
【００５１】
なお、図４に示される六角形に形成される形態の中詰めカゴ体の施工方法は、接合角度は異なるが、前述した四角形または矩形に形成された中詰めカゴ体の施工方法と同一であり、同一効果を有するためその説明を省略する。
【００５２】
【発明の効果】
本発明は次の効果を奏する。
【００５３】
本発明によれば、隔壁端部の接合片を相互に連結することにより、各隔壁が順次継ぎ合わされて閉じられた所定領域の単位枠体が立設形成されるので、敷設現場においてカゴ体を区画形成する施工が極めて容易で、グランド上に剛性を持たせた状態で敷設することができる。
【００５４】
また、各隔壁端部の上下に配置される接合片同士が連結部材により所定角度を成して順次連結されるので、連結された隔壁によって閉じられた所定領域の単位枠体を形成することができ、各隔壁を順次連結することにより、複数の単位枠体を容易に形成することができる。
【００５５】
また、上下に配置された接合片の貫通孔に軸部材を挿通保持するだけで隔壁を連結することができるので、現地での隔壁の組立作業を容易に行うことができる。
【００５６】
また、ダクタイル鋳鉄の性質を好適に利用することができ、生物にとって必要な微量な栄養素としての鉄分を供給し、鋳鉄内に含まれる炭素成分が中詰材料と相俟って水質を浄化することができ、河川の環境を向上させることができる。
【００５７】
更に、所定角度で連結された隔壁の接合部は、各隔壁の接合部上方から同時に角度拘束部材を被冠させるだけで、連結された隔壁の接合部の角度位置を拘束状態で保持することができる。
【図面の簡単な説明】
【図１】本発明の第１実施形態としての中詰め用カゴ体が河床に敷設された護岸を示す斜視図である。
【図２】隔壁の組合せによって区画形成される第１実施形態としての中詰め用カゴ体の各種形態を示す平面図である。
【図３】（ａ）は隔壁接合部の一実施実施形態を示す部分拡大斜視図であり、（ｂ）は隔壁接合部の他の実施実施形態を示す部分拡大斜視図である。
【図４】隔壁の組合せによって区画形成される第２実施形態としての中詰め用カゴ体の各種形態を示す平面図である。
【図５】（ａ）は隔壁接合部の一実施実施形態を示す部分拡大斜視図であり、（ｂ）は隔壁接合部の他の実施形態を示す部分拡大斜視図である。
【図６】（ａ）は隔壁が直角に交叉して接合される形態の接合部の斜視図、（ｂ）は３枚の隔壁が１２０°の角度で接合されている形態の接合部の斜視図である。
【符号の説明】
１                カゴ体集合体
１ａ、１ｂ        隔壁
２                自然石
３                コンクリート
４                砂利
５                客土
６                苗木
７                軸部材（連結部材）
８、１３          角度拘束部材
９                棒状体
１１              係止具
１２、１６        規制部材
１４              棒状体
Ａ１、Ａ２、Ａ２′カゴ体
Ｂ１、Ｂ２        カゴ体
Ｃ                カゴ体
Ｈ                貫通孔
Ｎ１、Ｎ２        接合片
Ｎ３、Ｎ４        接合片
【図１】
0004097365.tif 000002
【図２】
0004097365.tif 000003
【図３】
0004097365.tif 000004
【図４】
0004097365.tif 000005
【図５】
0004097365.tif 000006
【図６】
0004097365.tif 000007